(57)【特許請求の範囲】
【請求項１】
オーディオ信号や画像信号などのような時間の経過と共に、情報内容が変わる時系列信号からなる複製対象の情報信号を受け、前記時系列信号の標準再生速度に等しい標準速度で、前記情報信号の複製を実行する第１の記録装置と、
前記複製対象の情報信号を受け、前記標準速度よりも速い速度で、前記情報信号の複製を実行することが可能な第２の記録装置と、
前記標準速度での複製指示を受けたときにのみ、前記複製対象の情報信号を前記第１の記録装置に供給する第１の出力手段と、前記標準速度よりも速い速度での複製指示を受けたときに、前記複製対象の情報信号を前記第２の記録装置に供給する第２の出力手段とを備える情報出力装置と、
を備え、
前記標準速度での複製時と、前記標準速度よりも速い速度での複製時とで、前記複製対象の情報信号についての著作権保護のための方式を異ならせる
ことを特徴とする情報信号の複製制御システム。
【請求項２】
請求項１に記載の複製制御システムにおいて、
前記標準速度よりも速い速度での複製時には、前記標準速度での複製時よりも、制限の厳しい著作権保護のための方式を用いることを特徴とする情報信号の複製制御システム。
【請求項３】
請求項１に記載の複製制御システムにおいて、
前記標準速度よりも速い速度での複製時には、課金を条件にして、前記第２の記録装置での実質上の複製を制御することを特徴とする情報信号の複製制御システム。
【請求項４】
請求項３に記載の複製制御システムにおいて、
前記標準速度よりも速い速度での複製時には、課金についての認証を行って、認証が確認されたときに、前記情報出力装置から前記第２の記録装置に、前記第２の記録装置での複製が実行可能な状態で前記情報信号を伝送することを特徴とする情報信号の複製制御システム。
【請求項５】
請求項３に記載の複製制御システムにおいて、
前記標準速度よりも速い速度での複製時には、前記情報信号は、暗号化して前記第２の記録装置に伝送すると共に、前記情報出力装置は、課金についての認証を行って、認証が確認されたときにのみ暗号化を解除するための情報を伴って、前記第２の記録装置に前記情報信号を伝送することを特徴とする情報信号の複製制御システム。
【請求項６】
請求項２に記載の情報信号の複製制御システムにおいて、
前記標準速度での複製時には、第１世代の複製を可能にする著作権保護のための方式を用い、
前記標準速度よりも速い速度での複製時には、識別情報により識別される同一のコンテンツの情報信号は、第１世代の複製を１回だけ可能とする著作権保護のための方式を用いる
ことを特徴とする情報信号の複製制御システム。
【請求項７】
請求項１〜請求項６のいずれかに記載の情報信号の複製制御システムにおいて、
前記複製は、前記情報出力装置から前記第１の記録装置または前記第２の記録装置へ前記情報信号の伝送を行いながら実時間で行うものであり、
前記情報信号の伝送速度が、前記情報出力装置において、前記情報信号が記録された媒体からの読み出し速度を前記標準速度に対して変えられることにより、前記複製の速度が変更される
ことを特徴とする情報信号の複製制御システム。
【請求項８】
請求項１〜請求項６のいずれかに記載の情報信号の複製制御システムにおいて、
前記複製は、前記情報出力装置から前記第１の記録装置または前記第２の記録装置へ前記情報信号の伝送を行いながら実時間で行うものであり、
前記情報信号の複製の速度が、前記標準時間よりも速い速度であるときには、前記情報出力装置は、前記情報信号をデータ圧縮したまま前記第２の記録装置に伝送するものである
ことを特徴とする情報信号の複製制御システム。
【請求項９】
請求項８に記載の情報信号の複製制御システムにおいて、
前記情報信号の複製の速度が、前記標準時間よりも速い速度であるときには、前記情報信号に関連する付随データを、前記情報信号に加えて前記第２の記録装置に伝送する
ことを特徴とする情報信号の複製制御システム。
【請求項１０】
請求項１〜９に記載の情報信号の複製制御システムにおいて、
前記情報出力装置は、アナログ信号の状態での前記情報信号の伝送出力が可能であると共に、前記アナログ情報信号には、電子透かし情報による複製制御のための情報が重畳される
ことを特徴とする情報信号の複製制御システム。
【請求項１１】
オーディオ信号や画像信号などのような時間の経過と共に、情報内容が変わる時系列信号からなる複製対象の情報信号を、前記時系列信号の標準再生速度に等しい標準速度で、前記情報信号の複製を実行する第１の記録装置と、前記標準速度よりも速い速度で、前記情報信号の複製を実行することが可能な第２の記録装置とのいずれかに供給する情報出力装置であって、
前記標準速度での複製指示を受けたときにのみ、前記複製対象の情報信号を前記第１の記録装置に供給する第１の出力手段と、
前記標準速度よりも速い速度での複製指示を受けたときに、前記複製対象の情報信号を前記第２の記録装置に供給する第２の出力手段とを備え、
前記標準速度での複製時と、前記標準速度よりも速い速度での複製時とで、前記複製対象の情報信号についての著作権保護のための方式を異なるようにした
ことを特徴とする情報出力装置。
【請求項１２】
請求項１１に記載の情報信号の情報出力装置において、
前記標準速度よりも速い速度での複製時には、課金についての認証を行って、認証が確認されたときに、前記第２の記録装置に、前記第２の記録装置での複製が実行可能な状態で前記情報信号を伝送することを特徴とする情報出力装置。
【発明の詳細な説明】
【０００１】
【発明の属する技術分野】
この発明は、例えばオーディオ信号や画像信号などの情報信号の複製制御システムに関する。
【０００２】
【従来の技術】
デジタルコンテンツの普及に伴い、このデジタルコンテンツについての不正な複製（コピー）による著作権侵害が問題となっている。すなわち、テープ媒体などへのアナログ記録の場合には、オーディオデータや画像データがアナログ的に記録されるため、複製を行なうと品質が劣化する。これに対し、デジタル的にオーディオデータや画像データを記録し再生する機器においては、原理的に複製によって情報品質が劣化することがなく、複製を多数回繰り返すことさえも品質の劣化無しに可能である。
【０００３】
そのため、デジタル的に処理を行なう機器による不正コピーによる損害は、アナログの場合よりさらに大きなものとなり、デジタル的に処理を行なう機器における不正コピー防止は、非常に重要になっている。
【０００４】
そこで、この問題に対処するため、デジタルコンテンツに複製制御のための情報を付加し、この付加情報を用いて、不正な複製を防止することが行われている。
【０００５】
例えば、この複製の防止のための制御として、オーディオコンテンツについては、１回は複製を認めるが、１回複製されたものからの複製を禁止するＳＣＭＳ（Serial Copy Management System ）と呼ばれる世代制限の複製制御方式による著作権保護施策が、ＣＤ（コンパクトディスク）、ＭＤ（ミニディスク）、ＤＡＴ（デジタルオーディオテープ）などにおいて用いられている。
【０００６】
このＳＣＭＳ方式の複製制御方式について、図５を参照して説明する。
例えば、ディスク１には、オリジナルソースのオーディオ信号がデジタル記録されている。デジタルオーディオ信号は、ディスク１に、所定の記録フォーマットで記録されており、ＳＣＭＳ方式による１回複製可能を示す付加情報が、例えばデジタル信号中の特定のエリアに記録されている。
【０００７】
再生装置２は、ディスク１から読み出した信号からデジタルオーディオ信号を再現し、前記の付加情報と共に、記録装置３に伝送する。この場合に、再生装置２では、通常再生速度（１倍速）に等しい時間分をかけて、デジタルオーディオ信号を記録装置３に伝送する。
【０００８】
このデジタルオーディオ信号を受け取った記録装置３は、デジタルオーディオ信号の付加情報が１回複製可能であるときには、入力デジタル信号の複製が可能であると認識する。そこで、記録装置３は、付加情報が１回複製可能であることを確認すると、記録可能なディスク４にデジタル信号を複製記録する。その際に、記録装置３は、付加情報を「１回複製可能」の状態から、「複製禁止」の状態に書き換える。したがって、ディスク４には、デジタル信号が複製記録が行われると共に、その付加情報として、「複製禁止」の情報が記録される。
【０００９】
この１回目の複製記録が行われたディスク４（第１世代のディスク）が再生装置５で再生されて、記録装置６に供給された場合、記録装置６では、付加情報が「複製禁止」となっていることを検知するので、記録可能なディスク７への記録はできなくなる。
【００１０】
このときの複製速度は、再生装置２からのオーディオ信号の伝送速度と等しくなり、オーディオ信号を標準再生時間で再生するとき、すなわち、ノーマル再生速度に等しい速度となる。
【００１１】
以上のようにして、ＳＣＭＳ方式では、第１世代の複製は許可するが、第１世代の媒体からの第２世代の複製はできないようにして、著作権保護を行っている。
【００１２】
【発明が解決しようとする課題】
このＳＣＭＳ方式による著作権保護の問題は、第２世代の複製は禁止することができるものの、一つのオリジナルソースから第１世代の複製が何回でも、作成可能となってしまうことである。上述した従来の場合には、複製に要する時間が、標準再生時間と等しいので、複製に時間がかかり、このようにしても、実害はさほど大きくないと考えられていた。
【００１３】
ところが、最近のディスク媒体や半導体メモリへのデジタル記録においては、従来のテープ媒体にアナログ記録をしていた時代に比べて、容易に高速の複製が行えるようになってきている。特に、オーディオ信号について、信号圧縮技術を用いた場合には、１００倍速（１００分の１の圧縮の場合）の複製も可能になってきている。
【００１４】
このようになると、第１世代の複製が非常に短時間にできるため、一つのオリジナルソースから第１世代の複製を短時間で大量に作成することが可能になってしまい、著作権保護が有効に行われなくなるおそれがある。そこで、上述のような複製に関する技術的な環境変化を考慮して、従来よりも、より厳しく複製を制限する著作権保護方式を導入することが考えられている。
【００１５】
しかし、著作権者側に立てば、このように複製を厳しく制限する方式が導入されることは歓迎されるが、使用者側から見ると、今まで可能であった複製ができなくなることなるため、容認しがたい。
【００１６】
このため、複製を厳しく制限する新しい著作権保護方式を、新たに市場に投入する記録装置に採用した場合には、従来の記録装置での複製が抜け道となってしまうので、その新たな著作権保護方式を採用した記録装置は、市場には受け入れられないおそれがある。
【００１７】
この発明は、以上のような問題点を、著作権者側と使用者側とのバランスを取って解決することができる情報信号の複製制御システムを提供することを目的とする。
【００１８】
【課題を解決するための手段】
上記課題を解決するため、請求項１の発明による情報信号の複製制御システムは、
オーディオ信号や画像信号などのような時間の経過と共に、情報内容が変わる時系列信号からなる複製対象の情報信号を受け、前記時系列信号の標準再生速度に等しい標準速度で、前記情報信号の複製を実行する第１の記録装置と、
前記複製対象の情報信号を受け、前記標準速度よりも速い速度で、前記情報信号の複製を実行することが可能な第２の記録装置と、
前記標準速度での複製指示を受けたときにのみ、前記複製対象の情報信号を前記第１の記録装置に供給する第１の出力手段と、前記標準速度よりも速い速度での複製指示を受けたときに、前記複製対象の情報信号を前記第２の記録装置に供給する第２の出力手段とを備える情報出力装置と、
を備え、
前記標準速度での複製時と、前記標準速度よりも速い速度での複製時とで、前記複製対象の情報信号についての著作権保護のための方式を異ならせる
ことを特徴とする。
【００１９】
また、請求項２の発明は、請求項１に記載の複製制御システムにおいて、
前記標準速度よりも速い速度での複製時には、前記標準速度での複製時よりも、制限の厳しい著作権保護のための方式を用いることを特徴とする。
【００２０】
上述の請求項１および請求項２の発明によれば、複製の速度が、従来の著作権保護方式と同様の速度である場合には、著作権保護方式は、従来と同様の方式を用い、複製速度が高速の場合であって、複製が従来よりも短時間でできるような場合には、著作権保護方式は、従来の方式よりも複製を厳しく制限する方式を用いるようにすることができる。
【００２１】
したがって、特にオーディオ信号や画像信号のように、現状において、所定の著作権方式が確立しつつある時系列信号の複製については、著作権者側と使用者側との利害得失のバランスを取った著作権保護方式を備える複製制御システムを提供することができる。
【００２２】
また、請求項３の発明は、請求項１に記載の複製制御システムにおいて、
前記標準速度よりも速い速度での複製時には、課金を条件にして、前記第２の記録装置での実質上の複製を制御することを特徴とする。
【００２３】
この請求項３の発明によれば、例えば、複製速度が、従来の著作権保護方式と同様の速度である場合には、著作権保護方式は、従来と同様に課金は無しの方式を用い、複製速度が高速の場合であって、複製が従来よりも短時間でできるような場合には、著作権保護方式は、１回ごとの複製について所定の課金を施すようにして、従来の方式よりも複製を厳しく制限する方式を用いることができる。
【００２４】
また、請求項４の発明は、請求項３に記載の複製制御システムにおいて、
前記標準速度よりも速い速度での複製時には、課金についての認証を行って、認証が確認されたときに、前記情報出力装置から前記第２の記録装置に、前記第２の記録装置での複製が実行可能な状態で前記情報信号を伝送することを特徴とする。
【００２５】
この請求項４の発明においては、複製速度が高速である場合の課金の方法として、情報出力装置から記録装置への情報信号の伝送の際に課金を認証するので、高速の複製については、確実な課金をかけることができる。例えば、複製の料金を支払った時にのみ、情報出力装置から記録装置に情報信号を伝送するなどの制御が可能になる。
【００２６】
また、請求項５の発明は、請求項３に記載の複製制御システムにおいて、
前記標準速度よりも速い速度での複製時には、前記情報信号は、暗号化して前記第２の記録装置に伝送すると共に、前記情報出力装置は、課金についての認証を行って、認証が確認されたときにのみ暗号化を解除するための情報を伴って、前記第２の記録装置に前記情報信号を伝送することを特徴とする。
【００２７】
この請求項５の発明によれば、複製速度が高速である場合に、例えば複製の料金を支払った時には、情報出力装置から暗号化した情報信号と、暗号解読キーとを伝送し、複製の料金を支払わなかった時には、暗号解読キーを送らないようにすることにより、課金を条件にした著作権保護施策を施すことができる。
【００２８】
また、請求項６の発明は、請求項２に記載の情報信号の複製制御システムにおいて、
前記標準速度での複製時には、第１世代の複製を可能にする著作権保護のための方式を用い、
前記標準速度よりも速い速度での複製時には、識別情報により識別される同一のコンテンツの情報信号は、第１世代の複製を１回だけ可能とする著作権保護のための方式を用いる
ことを特徴とする。
【００２９】
この請求項６の発明によれば、複製速度が従来と同様の時系列情報の標準再生時間に等しい時間で情報信号を再生する速度、つまり、いわゆる等速の複製である場合には、従来と同様の第１世代の複製は何回でも許可する方式とするが、複製速度が高速である場合には、同一のコンテンツは、第１世代の複製を１回だけ許可するように、厳しくすることが可能になる。
【００３０】
【発明の実施の形態】
以下、この発明による情報信号の複製制御システムの実施の形態を、図を参照しながら説明する。以下に説明する実施の形態は、情報信号がデジタルオーディオ信号の場合であって、複製速度が従来と同様の時系列情報の標準再生時間に等しい時間で情報信号を再生する速度、つまり、いわゆる等速の複製を行うときには、従来と同様のＳＣＭＳ方式による著作権保護方式を採用し、高速の複製を行うときには、課金を条件にして、複製を許可するようにする場合である。
【００３１】
なお、以下の説明のおいて、等速の複製は、等速コピーと称し、また、高速の複製は、高速コピーと称することとする。
【００３２】
［第１の実施の形態］
図１は、この第１の実施の形態の複製制御システムの要部の概念構成を示すものである。この第１の実施の形態の情報信号の複製制御システムは、記録媒体が例えばＣＤ（コンパクトディスク）の場合であって、再生機１０と、従来と同様のＳＣＭＳ対応記録機２０と、高速コピー対応の記録機３０とからなる。この例の場合、再生機１０から、記録機２０または記録機３０に伝送されるデジタルオーディオ信号は、圧縮データではなく、ベースバンドデータである。
【００３３】
再生機１０は、再生ドライブ部１１と、スイッチ回路１２と、エンクリプション認証部１３と、課金システム部１４と、キー入力部１５と、システムコントロール部１６とからなる。
【００３４】
再生ドライブ部１１は、この例では、記録媒体の例としてのＣＤを回転駆動して、それに記録されているデジタル信号を読み出し、ベースバンドデータとしてのデジタルオーディオ信号の再生を行う部分であり、そのドライブ速度はシステムコントロール部１６からのドライブ制御信号により変えることが可能である。このドライブ速度の変更により、再生機２０では、再生速度を変更することが可能である。したがって、この例の場合には、再生ドライブ部１１からの再生デジタルオーディオ信号Ａｕのデータレート（データ伝送速度）は、ドライブ速度に応じたものとなる。
【００３５】
この例の場合、再生機１０は、再生ドライブ速度を、オーディオ信号を標準再生時間で再生する場合のノーマル速度と、その２倍以上のドライブ速度で再生する倍速とに変更可能である。倍速の場合には、例えば２倍、３倍、４倍、５倍…などのような高速のドライブ速度とすることができる。
【００３６】
再生ドライブ部１１からの再生デジタルオーディオ信号Ａｕは、スイッチ回路１２を介してＳＣＭＳ対応記録機２０に供給される。スイッチ回路１２は、再生ドライブ部１１からの再生デジタルオーディオ信号Ａｕを、ＳＣＭＳ対応記録機２０に伝送するか否かを制御するためのものである。
【００３７】
このスイッチ回路１２は、システムコントロール部１６からの切替制御信号ＳＷにより切替制御される。システムコントロール部１６は、キー入力部１５から入力された複製指示が、等速コピーである場合にのみ、スイッチ回路１２をオンとして、再生デジタルオーディオ信号ＡｕをＳＣＭＳ対応記録機２０に供給するようにする切替制御信号ＳＷを生成する。すなわち、複製指示が高速コピーのときには、スイッチ回路１２はオフとされて、再生デジタルオーディオ信号ＡｕがＳＣＭＳ対応記録機２０に供給されないようにされている。
【００３８】
ＳＣＭＳ対応記録機２０は、前述したＳＣＭＳ方式により著作権保護のための複製制御を行う記録機であって、デジタルオーディオ信号について、第１世代の等速での複製が何回でも可能である。すなわち、ＳＣＭＳ方式の付加情報が「１回複製可能」となっているときに、ＳＣＭＳ対応記録機２０は、デジタルオーディオ信号の複製記録を実行する。なお、記録機２０での記録媒体としては、磁気テープやＭＤ（ミニディスク）を用いることができる。
【００３９】
再生ドライブ部１１からの再生デジタルオーディオ信号Ａｕは、また、エンクリプション認証部１３を介して高速コピー対応記録機３０に対して伝送される。高速コピー対応記録機３０は、エンクリプション認証部１３と対を成すデクリプション認証部３１と、記録ドライブ部３２とを備える。なお、記録ドライブ部３２での記録媒体としては、磁気テープやＭＤ（ミニディスク）が用いられる。
【００４０】
エンクリプション認証部１３は、システムコントロール部１６の制御の下に、デクリプション認証部３１との間で認証のための所定のデータのやり取りを行うことにより、記録機３０が、この実施の形態の著作権保護方式に正しく対応した記録機であるか否かの認証処理を行い、認証が取れれば、デジタルオーディオ信号Ａｕを、暗号化して、記録機３０に伝送すると共に、その暗号化を解除するための暗号キーの情報をも伝送する。認証が取れないときには、記録機３０には、暗号キーの情報は渡さない。暗号キーがえられなかった時には、記録機３０ではオーディオ信号の暗号化を解除できないので、正常な複製記録はできない。
【００４１】
そして、この実施の形態の場合、再生機１０では、記録機３０について認証が取れた場合であっても、全ての場合に暗号キーの情報を記録機３０側に渡すわけではない。
【００４２】
すなわち、使用者からの複製指示が、等速コピーの場合には、記録機３０について認証を取れれば、暗号キーを記録機３０に渡すようにする。しかし、複製指示が、デジタルオーディオ信号Ａｕの高速コピーの場合には、課金システム部１４において、使用者からの課金の承認を得たときにのみ、暗号キーを記録機３０側に渡すように、システムコントロール部１６は制御する。
【００４３】
ここで、使用者からの課金の承認は、例えばプリペイドカードによる高速コピー料金の支払いなどによる。その場合には、課金システム１４は、カードリーダなどを備える。
【００４４】
また、課金システム１４を電話回線などの通信回線を介して課金センターに接続しておき、クレジットカードのカードナンバーを課金センターに送るようにすることにより、使用者からの課金の承認を得るようにしても良い。
【００４５】
さらに、高速コピーについて、所定の管理センターに予め会員登録するようにしておき、高速コピーの際に、その管理センターに会員照会して、その確認ができたときに、課金の承認があったとするようにすることもできる。その場合には、料金は後払いとなる。
【００４６】
なお、図１のシステムにおいては、再生機１０のシステムコントロール部１６は、複製の実行時、再生機１０と、記録機２０または記録機３０とを同期して再生状態および記録状態にするように制御する。このため、図１に示すように、システムコントロール部１６からは、再生ドライブ部１１に再生コマンドＰＢが、記録機２０または記録機３０に記録コマンドＲＥＣが、それぞれ同期して供給されるように構成されている。
【００４７】
以上のような保護施策により、複製速度に応じて、複製速度が速いときには、より厳しい著作権保護が可能になる。すなわち、上述の実施の形態では、等速コピーでは、従来と同様の複製制御方式により複製が可能であるが、高速コピーの場合には、所定の料金を支払ったときにのみ、可能となる。
【００４８】
図１のシステムにおける複製動作を、図２のフローチャートを参照しながら、さらに説明する。この図２のフローチャートは、再生機１０のシステムコントロール部１６での処理動作に相当している。
【００４９】
まず、ステップＳ１０１において、キー入力部１５からのキー入力が複製の指示であったか否か判別される。複製の指示でなかったときには、ステップＳ１１０に進んで、そのキー入力に応じた処理を行う。
【００５０】
ステップＳ１０１での判別の結果、複製の指示入力があったと判別されたときには、ステップＳ１０２に進み、複製に使用する記録機は、記録機２０と記録機３０のいずれであるか判別する。使用者は、複製指示入力を行うときに、いずれの記録機で複製記録を行うかを、キー入力部１５を通じてキー入力するので、このステップＳ１０２では、そのキー入力から、いずれの記録機による複製であるかを判別する。
【００５１】
なお、再生機１０は、記録機２０または記録機３０が接続されているか否かを認識する機能を有しており、記録機２０または記録機３０が再生機１０に対して接続されていないときには、その接続されていない記録機を用いた複製の指示は、無視される。
【００５２】
ステップＳ１０２での判別の結果、記録機２０であると判別されたときには、ステップＳ１０３に進み、指示された複製は、等速コピー（ノーマル速度再生）であるか、あるいは高速コピー（倍速再生）であるか判別する。高速コピーであると判別されたときには、ステップＳ１０８に進み、スイッチ回路１２をオフとして、そして、次のステップＳ１０９で、複製ができない旨のアラームを発生する。
【００５３】
ステップＳ１０３で等速コピーであると判別された場合には、ステップＳ１０４に進んで、スイッチ回路１２をオンに制御し、その後、ステップＳ１０５において、再生ドライブ部１１に再生コマンドＰＢを、記録機２０に記録コマンドＲＥＣを送る。そして、次のステップＳ１０６に進んで、デジタルオーディオ信号Ａｕを記録機２０に伝送する。
【００５４】
そして、ステップＳ１０７に進み、予め定められている、キー入力の判別のインターバル時間が経過したか否か判別し、経過したときには、ステップＳ１０１に戻る。そして、このステップＳ１０１で、キー入力コマンドの状態が複製の指示のままであるか否か判別する。そして、複製の指示のままであれば、上述したステップＳ１０２以降を繰り返す。また、新たに、別のキーが操作されたときには、例えば停止キーが操作されたときには、ステップＳ１１０に進んで、そのキーに対応した処理である停止処理を行う。
【００５５】
以上説明した記録機２０による等速コピーのときには、再生ドライブ部１１でのドライブ速度は、ノーマル再生速度であるので、記録機２０に供給されるデジタルオーディオ信号の伝送速度は、ノーマル再生速度に等しい。ＳＣＭＳ対応記録機２０は、再生機１０からのデジタルオーディオ信号Ａｕを受け、その信号中に含まれるＳＣＭＳのための付加情報を検知して、その付加情報が「１回複製可能」の状態であれば、複製を実行する。しかし、付加情報が「複製禁止」の状態であれば、複製記録を停止する。
【００５６】
次に、ステップＳ１０２で、指示された記録機が高速コピー対応記録機３０であると判別されたときには、ステップＳ１１１に進み、再生機１０からは、エンクリプション認証部１３を通じて記録機３０に、この実施の形態の複製制御システムに適合する記録機であるか否かの認証のためのデータが送られる。
【００５７】
この場合、適合する記録機である場合には、予め定められた信号が再生機１０に対して送り返される。そこで、ステップＳ１１２では、この決められている信号が記録機３０から返ってくるか否かを判別し、決められている信号が返ってこなかった場合には、ステップＳ１１３に進み、複製記録不可のアラームを行って、システムを停止状態とする。
【００５８】
ステップＳ１１２で、記録機３０から決められている信号が返ってきたと判別されたときには、ステップＳ１１４に進み、指示された複製は等速コピーであるか、高速コピーであるか判別される。ステップＳ１１４で、高速コピーであると判別されたときには、ステップＳ１１５に進み、使用者による課金の承認が得られたか否かを判別する。
【００５９】
そして、ステップＳ１１５で、課金の承認が得られなかったときには、ステップＳ１１３に進み、複製記録不可のアラームを行って、システムを停止状態とする。また、ステップＳ１１５で、課金の承認が得られたときには、ステップＳ１１６に進む。また、ステップＳ１１４で複製指示が等速コピーであると判別されたときには、ステップＳ１１５をバイパスして、ステップＳ１１６に進む。
【００６０】
そして、ステップＳ１１６では、再生ドライブ部１１に再生コマンドＰＢを、記録機３０に記録コマンドＲＥＣを、それぞれ送る。そして、デジタルオーディオ信号Ａｕを暗号化して、記録機３０に伝送すると共に、暗号解除のための暗号キーを記録機３０に伝送する。
【００６１】
このステップＳ１１６の後にはステップＳ１０７に進み、予め定められている、キー入力の判別のインターバル時間が経過したか否か判別し、経過したときには、ステップＳ１０１に戻る。そして、このステップＳ１０１で、キー入力コマンドの状態が複製の指示のままであるか否か判別する。そして、複製の指示のままであれば、上述したステップＳ１０２以降を繰り返す。また、新たに、別のキーが操作されたとき、例えば停止キーが操作されたときには、ステップＳ１１０に進んで、そのキーに対応した処理である停止処理を行う。
【００６２】
記録機３０の認証が取れ、また、高速コピー指示のときには、さらに課金の承認が行われたときには、記録機３０には、前述したように、暗号キーが送られてくるので、記録機３０では、デクリプション認証部３１で暗号化が解除される。そして、記録機３０では、その暗号化が解除されたデジタルオーディオ信号が記録ドライブ部３２に供給されて複製記録が行われる。この場合、記録ドライブ部３２では、伝送速度に応じた速度での情報信号の記録が行われる。したがって、伝送速度が高速である時には、高速複製記録が行われる。
【００６３】
また、記録ドライブ部３２では、複製した記録媒体には、これ以上の複製を禁止する旨の付加情報が記録される。これにより、高速コピーにより作成された記録媒体からの複製も禁止される。
【００６４】
以上のようにして、使用者は、複製のための料金を支払うことで、高速の複製が可能になる。従来のＳＣＭＳ方式の複製制御方式に比べて、著作権保護が厳しくなっているが、高速の複製であるという利点を考慮すると、使用者にとって利用価値はある。一方、著作権者にとっては、高速で複製が作成される場合には料金が徴収できるので、大量に第１世代の複製が行われても、それに見合う著作権保護が図られることになる。
【００６５】
［第２の実施の形態］
以上説明した第１の実施の形態の場合の高速コピーは、再生ドライブ部１１での記憶媒体のドライブ速度を高速にして、デジタルオーディオ信号Ａｕのデータ伝送レートを高くして、記録機３０に供給して、行うようにしたが、デジタルオーディオ信号がデータ圧縮された場合には、データ伝送レートが等速コピーの場合と同様であっても、短時間でオーディオデータの伝送が可能になるので、記録機での高速コピーが可能になる。
【００６６】
この第２の実施の形態は、このようにデータ圧縮されたままでの複製を行うことにより、複製速度を速くした場合である。
【００６７】
この第２の実施の形態においても、図１に示した基本的なブロック構成は、ほとんど変わるところはない。そして、この第２の実施の形態においては、再生機１０からＳＣＭＳ対応記録機２０へは、ベースバンドのデジタルオーディオ信号を伝送するのは、第１の実施の形態と同様であるが、再生機１０から高速コピー対応記録機３０に伝送するデータは、圧縮データとされている点が、第１の実施の形態と異なる。
【００６８】
以下に説明する第２の実施の形態においては、例えば、複製対象ディスクから再生したオーディオデータを、未記録のディスクに記録して、複製を行う場合について説明する。この場合、複製対象ディスクには、周知のＡＴＲＡＣ方式やＭＰＥＧオーディオ圧縮方式により、オーディオデータがデータ圧縮されて記録されている。
【００６９】
［第２の実施の形態の場合の再生機について］
この第２の実施の形態の場合の再生機１００の構成例を、図３を用いて説明する。
【００７０】
図３は、この再生機１００の構成の全体を示すブロック図である。この図３に示すように、この再生機１００に装填された複製対象ディスク１０１に記録されている圧縮オーディオデータは、読み出し部１０２によって読み出され、データ伸長デコード部１０３に供給されて、ベースバンドのデジタルオーディオ信号Ａｕに伸長デコードされる。
【００７１】
データ伸長デコード部１０３からのデジタルオーディオ信号Ａｕは、スイッチ回路１０４を通じ、従来から使用されているベースバンドのデジタル信号用のインターフェースであるＩＥＣ９５８インターフェース１０５を通じて出力端子１０６に導出される。
【００７２】
この出力端子１０６には、前述したＳＣＭＳ対応記録機２０が接続される。したがって、ＳＣＭＳ対応記録機２０には、第１の実施の形態の場合と同様にして、ベースバンドのデジタルオーディオ信号Ａｕが供給されて、第１の実施の形態の場合と同様に、従来と同様のＳＣＭＳ方式による等速複製制御が行われる。
【００７３】
そして、この第２の実施の形態の場合の再生機１００では、読み出し部１０２から圧縮されている状態のデジタルオーディオデータは、暗号化部１０７、ＩＥＥＥ１３９４インターフェース１０８を通じて出力端子１０９に導出される。この出力端子１０９には、高速コピー対応記録機３００が接続される。この場合に、いわゆるＩＥＥＥ１３９４セキュアバスにより、この圧縮デジタル出力についての不正な複製防止が図られている。
【００７４】
すなわち、読み出し部１０２からのデータは、ＳＣＭＳデコード部１１１に供給されて、圧縮データ中に含まれるＳＣＭＳ方式の複製制御のための付加データがデコードされ、そのデコード出力がコントロール部１１０に供給される。この付加データのデコード出力は、ディスク１０１が、１回複製可能であるのか、あるいは複製禁止であるのかなどを示すものとなっており、コントロール部１１０は、いずれの状態であるかを判別する。
【００７５】
読み出し部１０２からのデータは、また、暗号化部１０７に供給され、コントロール部１１０からの制御により、通信ごとに異なる暗号キーに基づく暗号化が圧縮オーディオデータに施される。この暗号化部１０７からの暗号化データは、ＩＥＥＥ１３９４インターフェース１０８を通じ、出力端子１０９を通じて出力先の電子機器である高速コピー対応記録機３００に供給される。ＩＥＥＥ１３９４インターフェース１０８は、ＩＥＥＥ１３９４インターフェース規格に適合するように、データ変換をして圧縮オーディオデータを出力する。
【００７６】
この際に、コントロール部１１０は、ＩＥＥＥ１３９４インターフェース１０８を通じて出力先の機器と通信を行い、その出力先の機器がＩＥＥＥ１３９４セキュアバス規格に適合する装置（以下、この装置をコンプライアントの装置という）であるか、また、コンプライアントの装置であれば、それが記録装置であるか否か判別する。
【００７７】
そして、コントロール部１１０は、この実施の形態の再生機１００では、ＳＣＭＳデコード部１１１からの複製制御情報の判別出力と、ＩＥＥＥ１３９４インターフェース１０８を通じた出力先の機器の判別情報とから、暗号化部１０７でおこなわる暗号化処理を解くための暗号キー情報を出力先に送出するか否かを決定する。
【００７８】
例えば、出力先がコンプライアントの装置でなかったときには、暗号キー情報は、出力先の装置に渡さない。また、出力先がコンプライアントの装置であったときでも、それが記録装置の場合には、ＳＣＭＳデコード部１１１からの複製制御情報が「複製禁止」の状態のときには、暗号キー情報は、出力先の装置に渡さない。
【００７９】
さらに、この第２の実施の形態では、課金認証部１１６で使用者からの課金承認の情報がコントロール部１１０に得られなかったときにも、暗号キー情報は、出力先の装置に渡さない。
【００８０】
課金認証部１１６は、この例では、カードリーダ１１５に接続されており、使用者がプリペイドカード１１４をカードリーダ１１５に装填すると、高速コピー料金をプリペイドカードの残高から引き落とすようにする。この高速コピー料金の引き落としができたときに、課金認証部１１６は、使用者の課金の承認がとれたとして、その旨を示す課金承認の情報をコントロール部１１０に送るようにする。
【００８１】
キー入力部１１３は、等速コピーあるいは高速コピーの指示入力を使用者が行うための手段である。この例の場合の高速コピーは、ＩＥＥＥ１３９４を通じた圧縮データのままでの複製を意味している。また、等速コピーは、ＩＥＣ９５８を通じたベースバンドのオーディオデータのコピーを意味している。
【００８２】
なお、この例では、キー入力部１１３からの使用者の等速コピーあるいは高速コピーのいずれであるかの指定は、出力端子の指定または相手記録機のみであっても良い。または、ベースバンド伝送と、圧縮データ伝送のどちらであるかの指定であってもよい。
【００８３】
この実施の形態の場合、ＩＥＥＥ１３９４インターフェースによる圧縮データの伝送の際には、付随情報の伝送が可能である。そこで、この例では、例えばＭＤのＵＴＯＣに記録されている曲名（タイトル名）などの情報を読み出し部１０２を通じて読み出しておき、コントロール部１１０は、それを付随情報生成部１１２に渡すようにする。そして、それぞれの曲名（タイトル名）などの情報を、対応する圧縮オーディオデータのパケットに含めるように、付随情報生成部１１２から暗号化部１０７を通じてＩＥＥＥ１３９４インターフェース１０８に送るようにする。
【００８４】
これにより、複製が行われたときに、曲名（タイトル名）も、一緒に複製ＭＤディスクに記録することができるようになる。
【００８５】
なお、この実施の形態では、アナログオーディオ出力も可能とされている。ただし、この場合のアナログオーディオ信号出力には、ＳＣＭＳ方式の複製制御情報が含まれないので、このままでは、アナログ信号の状態での複製が自由に行われてしまう。この点にかんがみ、この実施の形態では、ＳＣＭＳデコード部１１１で検知された複製制御情報と同一意味内容の複製制御信号を、電子透かし情報ＷＭとして、ベースバンドのオーディオ信号に重畳するようにする。
【００８６】
すなわち、データ伸長デコード部１０３からのベースバンドのオーディオ信号は、電子透かし情報ＷＭの付加部１２１に供給される。また、コントロール部１１０からＳＣＭＳデコード部１１１で検知された複製制御情報と同一意味内容の複製制御信号が、この電子透かし情報ＷＭの付加部１２１に供給される。電子透かし情報ＷＭの付加部１２１では、オーディオデータに影響を与えないような態様で、複製制御情報がオーディオデータに重畳される。この電子透かし情報ＷＭの付加処理としては、例えばスペクトラム拡散を用いる方法などを用いることができる。
【００８７】
この電子透かし情報ＷＭの付加部１２１からのベースバンドのデジタルオーディオデータは、Ｄ／Ａコンバータ１２２に供給されて、アナログオーディオ信号とされ、出力端子１２３を通じて外部の電子機器に出力される。
【００８８】
この再生機１００の複製時の動作を説明すると、次のようになる。
まず、等速コピーを使用者が選択すると、コントロール部１１０によりスイッチ回路１０４がオンとされ、ベースバンドのオーディオ信号Ａｕが、ＩＥＣ９５８インターフェース１０５を通じ、出力端子１０６を通じてＳＣＭＳ記録機２０に供給されて、ＳＣＭＳ方式による従来と同様の複製制御が行われる。
【００８９】
また、使用者が高速コピーを選択すると、コントロール部１１０によりスイッチ回路１０４はオフとされる。そして、コントロール部１１０は、ＩＥＥＥ１３９４インターフェース１０８を通じて、相手機である記録機３００に所定の認証のための信号を送る。もしも、相手機がコンプライアントの記録機であれば、予め決められた認証のための応答信号が、ＩＥＥＥ１３９４インターフェース１０８を通じて返ってくるので、コントロール部１１０は、それを確認する。
【００９０】
そして、コントロール部１１０は、圧縮オーディオデータを暗号化部１０８で暗号化して、ＩＥＥＥ１３９４インターフェース１０９を通じて相手機に供給するのであるが、相手機がコンプライアントの装置でないときには、暗号を解除するための暗号キーは、相手機に渡さない。また、相手機がコンプライアントの装置であったときには、それが記録機であるか判別し、記録機であれば、ＳＣＭＳデコード部１１１からの複製制御情報を参照し、それが「複製禁止」の状態であれば、暗号キーは渡さないようにする。
【００９１】
そして、コントロール部１１０は、相手機がコンプライアントの記録機であって、「複製可能」または「１回複製可能」の状態であれば、課金認証部１１６からの課金承認情報を参照し、使用者による課金の承認がとれていれば、暗号キーを、その記録機に渡すようにする。
【００９２】
この結果、コンプライアントの記録機である高速コピー記録機３００では、圧縮オーディオデータの複製、つまり、高速コピーが可能になる。なお、圧縮オーディオデータには、ＳＣＭＳ方式の複製制御信号が含まれているので、記録機３００では、それによる複製制御も行われる。
【００９３】
［コンプライアントの記録装置について］
次に、コンプライアントの記録装置である記録機３００について説明する。図４は、このコンプライアントの記録機３００の構成例のブロック図である。
【００９４】
図４に示すように、このコンプライアントの記録機３００は、ＩＥＥＥ１３９４インターフェース用のデジタル入力端子３０１と、アナログ入力端子３０６とを備える。デジタル入力端子３０１はＩＥＥＥ１３９４インターフェース３０２に接続される。このＩＥＥＥ１３９４インターフェース３０２は、当該ＩＥＥＥ１３９４バスインターフェース規格に適合するように変換されているデータを元に戻す処理を行う。
【００９５】
このＩＥＥＥ１３９４インターフェース３０３からのデータは、暗号解読部３０３に供給される。前述したように、このデジタル入力端子３０１に接続される機器が、その情報信号の複製が可能と判断した情報については、その機器から、暗号化を解くために暗号キー情報が送られてくる。暗号化解読部３０３は、この暗号キー情報が得られたときには、ＩＥＥＥ１３９４インターフェース３０２からのデータの暗号化を解読して、圧縮オーディオデータを復元することができる。復元された圧縮オーディオデータはセレクタ３０４に供給される。
【００９６】
また、アナログ入力端子３０６を通じて入力されたビデオ情報は、アナログインターフェース３０７を通じて圧縮エンコード部３０８に供給されて、データ圧縮された後、セレクタ３０４に供給される。
【００９７】
セレクタ３０４は、ユーザの入力選択に応じたセレクタ制御信号により、暗号解読部３０３からのデータと、エンコード部３０８からのデータとのいずれかを選択して出力する。このセレクタ３０４の出力データは、ＳＣＭＳ書換部３１１を通じて記録制御部３１２に供給される。
【００９８】
デジタル入力端子３０１からの圧縮デジタルデータの場合であって、ＳＣＭＳ方式の複製制御情報が「複製禁止」の場合には、暗号キーが送られてこないので、暗号が解除できず、記録制御部３１２により複製は禁止する。
【００９９】
また、暗号化が解除できた時には、「複製可能」あるいは「１回複製可能」であるので、記録実行の状態となり、書き込み部３１３を通じて、圧縮オーディオデータの、未記録のディスク３１４に複製記録が実行されることになる。
【０１００】
この複製記録の際、ＳＣＭＳ方式の複製制御情報が、ＳＣＭＳ書換部３１１において、必要に応じて、書き換えられる。すなわち、暗号解読部３０３からのデータは、ＳＣＭＳデコード部３０５に供給されて、複製制御情報が抽出され、コントロール部３１０に供給される。コントロール部３１０は、ＳＣＭＳ方式の複製制御情報が「複製可能（複製フリー）」である時には、複製制御情報の書き換えは不要と判断するが、「１回複製可能」である時には、ＳＣＭＳ書換部３１１で、複製制御情報を「複製禁止」の状態に書き換えるようにする。
【０１０１】
次に、入力端子３０６を通じて入力されるアナログオーディオ信号の場合の複製について、説明する。
【０１０２】
このアナログオーディオ信号には、前述したように、再生機１００では、電子透かし情報ＷＭとして複製制御情報が重畳されている。この電子透かし情報ＷＭは、電子透かし情報デコード部３０９で検出され、コントロール部３１０に供給される。
【０１０３】
コントロール部３１０は、電子透かし情報ＷＭの判別出力に基づいて、入力情報の記録（複製）が可能であるか否か判別するとともに、記録（複製）が可能であると判別したときには、複製制御情報の書き換えが必要であるかを判別する。
【０１０４】
すなわち、コントロール部３１０は、電子透かし情報ＷＭにより、記録が禁止されていると判別したときには、記録制御部３１２および書き込み部３１３を制御して、ディスク３１４への記録を実行しないように制御する。
【０１０５】
また、電子透かし情報ＷＭにより、複製許可（Ｃｏｐｙ  Ｆｒｅｅ）と判別されたときには、記録制御部３１２および書き込み部３１３を制御して、記録の実行を可能とする。この場合、記録制御部３１２から出力される圧縮デジタル映像データは、ＳＣＭＳ書換部３０５を通るが、ＳＣＭＳ情報の書き換えは行われない。
【０１０６】
次に、電子透かし情報ＷＭにより、１回複製可能（Ｃｏｐｙ  Ｏｎｃｅ）と判別したときには、コントロール部３１０は、記録制御部３１２および書き込み部３１３を制御して、記録を実行するようにすると共に、ＳＣＭＳ書換部３０５において、ＳＣＭＳ情報を「記録禁止」に書き換えるようにする。
【０１０７】
［他の実施の形態］
高速コピーの場合に採用する厳しい著作権保護のための複製制御方式とては、課金を伴わない方式を用いることも勿論できる。例えば、いわゆるユニコピー方式を用いるようにしても良い。このユニコピー方式は、同一のコンテンツは、１台の記録機で１回しか複製することができないようにする方式である。すなわち、このユニコピー方式においては、記録機で複製が行われたときに、そのコンテンツＩＤを記録機のメモリに記憶しておき、後に、当該記録機において、同一のコンテンツの複製指示があったときには、その複製は禁止する方式である。
【０１０８】
また、高速コピーの場合において、料金を支払った時には、複製コピーを何回でも可能とすると共に、料金を支払わなかった時には、上述のユニコピー方式により、そのコンテンツについて１回のみの複製しかできないようにする方式を採用することもできる。
【０１０９】
また、課金システムとしては、プリペードカードによる方式を用いる場合に限らず、前述したように、電話回線などを用いた課金認証システムを用いることができる。この場合には、課金センターに課金対象となるコンテンツの情報を、併せて送るようにすることにより、コンテンツごとに課金を行うようにすることも可能である。
【０１１０】
また、以上の実施の形態は、オーディオ信号の場合を例にとって説明したが、複製対象の情報信号は、画像信号であっても良い。オーディオ信号や画像信号のような時系列信号ではない情報信号、例えば、コンピュータデータであっても良い。
【０１１１】
また、情報出力装置としては、上述した再生機に限らず、例えば、複製対象の情報を一時的にメモリに蓄え、そのメモリから読み出して、記録機に出力するようにする装置を含むものである。
【０１１２】
【発明の効果】
以上説明したように、この発明によれば、複製対象の情報信号の伝送速度に応じて著作権保護のための複製制御方式を変えるようにすることにより、著作権者の損益と、使用者の損益のバランスを取った著作権保護を実現することができる。
【図面の簡単な説明】
【図１】この発明による複製制御システムの実施の形態の全体の概要を示すブロック図である。
【図２】図１の実施の形態の複製時の処理動作の流れを示すフローチャートである。
【図３】他の実施の形態の複製制御システムの再生機の構成例を示すブロック図である。
【図４】他の実施の形態の複製制御システムの高速コピー対向記録機の構成例を示すブロック図である。
【図５】従来の複製制御システムを説明するための図である。
【符号の説明】
１０…再生機、２０…ＳＣＭＳ対応記録機、３０…高速コピー対応記録機、１１…再生ドライブ部、１２…スイッチ回路、１３…エンクリプション認証部、１４…課金システム部、１５…キー入力部、１６…システムコントロール部、３１…デクリプション認証部、３２…記録ドライブ部
【図１】
0004025941.tif 000002
【図２】
0004025941.tif 000003
【図３】
0004025941.tif 000004
【図４】
0004025941.tif 000005
【図５】
0004025941.tif 000006